(57)【特許請求の範囲】
【請求項１】
実行したジョブの履歴データもしくは前記ジョブの画像データ内に不正出力に関する情報が有るか否かを判別する判別手段と、
前記判別手段で不正出力に関する情報が有ると判別されたジョブの画像データに対応する画像を外部端末で可視化表示するための表示データを生成する表示制御手段と、
前記表示制御手段が生成した前記表示データを前記外部端末に送信する送信手段と、
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とする画像処理装置。
【請求項２】
前記表示制御手段は、不正出力に関する情報があると判別された前記ジョブの前記履歴データと前記画像データに対応する前記画像とが関連付けて外部端末で表示されるように前記表示データを生成する
ことを特徴とする請求項１に記載の画像処理装置。
【請求項３】
実行したジョブの履歴データもしくは前記ジョブの画像データ内に不正出力に関する情報が有るか否かを判別する判別手段と、
前記ジョブの前記画像データと当該ジョブに対する前記判別手段での判別結果とを関連付けて保存する保存手段と、
前記保存手段に保存されている前記画像データに対応する画像と前記画像データに関連付けされた前記判別結果とを外部端末で可視化表示するための表示データを生成する表示制御手段と、
前記表示制御手段が生成した前記表示データを前記外部端末に送信する送信手段と、
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とする画像処理装置。
【請求項４】
前記判別手段で不正出力に関する情報が無いと判別されたジョブの画像データについては、データ量を削減させてから前記保存手段に保存する
ことを特徴とする請求項３に記載の画像処理装置。
【請求項５】
前記保存手段に、不正出力に関する情報があると判別された前記ジョブの前記画像データと関連付けて当該ジョブの前記履歴データをさらに保存し
前記表示制御手段は、前記履歴データと前記画像データに対応する前記画像とが関連付けて前記外部端末で表示されるように前記表示データを生成する
ことを特徴とする請求項３または４に記載の画像処理装置。
【請求項６】
前記表示制御手段は、前記画像データに基づいて前記画像に対応する画像をサムネイル表示するための表示データを生成する
ことを特徴とする請求項１乃至５のいずれか１つに記載の画像処理装置。
【請求項７】
画像処理装置と、管理者端末とを備えたジョブ監視システムにおいて、
前記画像処理装置が実行したジョブの履歴データもしくは前記ジョブの画像データ内に不正出力に関する情報が有るか否かを判別する判別手段と、
前記判別手段で不正出力に関する情報が有ると判別されたジョブの画像データに対応する画像を前記管理者端末で可視化表示するための表示データを生成する表示制御手段と
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とするジョブ監視システム。
【請求項８】
前記表示制御手段は、不正出力に関する情報があると判別された前記ジョブの前記履歴データと前記画像データに対応する前記画像とが関連付けて外部端末で表示されるように前記表示データを生成する
ことを特徴とする請求項７に記載のジョブ監視システム。
【請求項９】
画像処理装置と、管理者端末とを備えたジョブ監視システムにおいて、
前記画像処理装置が実行したジョブの履歴データもしくは前記ジョブの画像データ内に不正出力に関する情報が有るか否かを判別する判別手段と、
前記ジョブの前記画像データと当該ジョブに対する前記判別手段での判別結果とを関連付けて保存する保存手段と、
前記保存手段に保存されている前記画像データに対応する画像と前記画像データに関連付けされた前記判別結果とを前記管理者端末で可視化表示するための表示データを生成する表示制御手段と
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とするジョブ監視システム。
【請求項１０】
前記判別手段で不正出力に関する情報が無いと判別されたジョブの画像データについては、データ量を削減させてから前記保存手段に保存する
ことを特徴とする請求項９に記載のジョブ監視システム。
【請求項１１】
前記保存手段に、不正出力に関する情報があると判別された前記ジョブの前記画像データと関連付けて当該ジョブの前記履歴データをさらに保存し
前記表示制御手段は、前記履歴データと前記画像データに対応する前記画像とが関連付けて前記外部端末で表示されるように前記表示データを生成する
ことを特徴とする請求項９または１０に記載のジョブ監視システム。
【請求項１２】
前記表示制御手段は、前記画像データに基づいて前記画像に対応する画像を前記外部端末でサムネイル表示するための表示データを生成する
ことを特徴とする請求項９乃至１１のいずれか１つに記載のジョブ監視システム。
【請求項１３】
前記判別手段を画像処理装置に配置し、
前記表示制御手段を管理者端末に配置した
ことを特徴とする請求項７または９に記載のジョブ監視システム。
【請求項１４】
前記判別手段と前記表示制御手段とを画像処理装置に配置した
ことを特徴とする請求項７または９に記載のジョブ監視システム。
【請求項１５】
前記判別手段と前記表示制御手段とを管理者端末に配置した
ことを特徴とする請求項７または９に記載のジョブ監視システム。
【請求項１６】
前記保存手段を画像処理装置に配置した
ことを特徴とする請求項９に記載のジョブ監視システム。
【請求項１７】
前記保存手段を管理者端末に配置した
ことを特徴とする請求項９に記載のジョブ監視システム。
【発明の詳細な説明】
【技術分野】
【０００１】
本発明は、画像の不正出力を監視する画像処理装置およびジョブ監視システムに係わり、特に、不正出力と判別された画像を管理者端末で目視確認するための技術に関する。
【背景技術】
【０００２】
複写機などの画像処理装置では、重要文書や機密文書が不正に複写されたり、プリント出力されたりして情報漏洩の生じることがある。一般に、情報漏洩の発生の監視や漏洩経路の追跡は、誰が、何時、どのような処理を行なったかなどの情報をジョブ履歴として蓄積保存しておき、これを後に分析することで行なわれる。
【０００３】
また、ジョブ履歴を残す際に、そのジョブで処理された文書データをジョブ履歴に付加して蓄積保存しておき、各ジョブで処理された文書や画像の内容を後に確認可能にしたシステムがある（たとえば、特許文献１参照。）。
【０００４】
【特許文献１】特開２００４−２８８０３８号公報
【発明の開示】
【発明が解決しようとする課題】
【０００５】
上記の特許文献１に開示されたシステムでは、ジョブ履歴に文書データが付加されて蓄積保存されるので、蓄積保存されている各文書データを閲覧すれば、情報漏洩の発生を確認することができる。しかし、蓄積保存されている多数の文書データを１つ１つ表示して情報漏洩の有無を確認するためには多くの作業工数を要し、管理者の負担が大きかった。
【０００６】
本発明は、上記の問題を解決しようとするものであり、情報漏洩の疑いのある画像を管理者が容易に目視確認することのできる画像処理装置およびジョブ監視システムを提供することを目的としている。
【課題を解決するための手段】
【０００７】
上記の目的は、以下に示す各項の発明により達成される。
【００１５】
（１）実行したジョブの履歴データもしくは前記ジョブの画像データ内に不正出力に関する情報が有るか否かを判別する判別手段と、
前記判別手段で不正出力に関する情報が有ると判別されたジョブの画像データに対応する画像を外部端末で可視化表示するための表示データを生成する表示制御手段と、
前記表示制御手段が生成した前記表示データを前記外部端末に送信する送信手段と、
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とする画像処理装置。
【００１６】
上記発明では、実行したジョブが不正出力に係わるものか否かを判別し、不正出力と判別された場合は、そのジョブの画像データに対応する画像を外部端末で可視化表示するための表示データを生成し、該表示データを外部端末に送信する。また、不正レベルを判定し、各画像データに対応する画像が不正レベルに応じた表示形態（不正レベルがレベル高のジョブについては全ページの画像がサムネイル表示され、判定された不正レベルがレベル低のジョブについては先頭ページのみサムネイル表示される表示形態）で外部端末に表示される。このように、画像処理装置は外部端末に表示データを提供するサーバのように機能するので、外部端末は、表示データを可視化表示する機能を備えていればよい。ジョブの履歴データには、たとえば、操作者の操作者名やユーザＩＤ、ジョブの実行日時、ファクシミリ送信などの場合にはそのあて先などを示すデータが該当する。
【００１７】
（２）前記表示制御手段は、不正出力に関する情報があると判別された前記ジョブの前記履歴データと前記画像データに対応する前記画像とが関連付けて外部端末で表示されるように前記表示データを生成する
ことを特徴とする（１）に記載の画像処理装置。
【００１８】
上記発明では、ジョブの履歴データと画像とを関連付けて外部端末に表示するための表示データを画像処理装置で作成し、外部端末に送信する。これにより、外部端末においてジョブの画像と共にその履歴データを確認でき、漏洩経路の追跡が容易になる。
【００１９】
（３）実行したジョブの履歴データもしくは前記ジョブの画像データ内に不正出力に関する情報が有るか否かを判別する判別手段と、
前記ジョブの前記画像データと当該ジョブに対する前記判別手段での判別結果とを関連付けて保存する保存手段と、
前記保存手段に保存されている前記画像データに対応する画像と前記画像データに関連付けされた前記判別結果とを外部端末で可視化表示するための表示データを生成する表示制御手段と、
前記表示制御手段が生成した前記表示データを前記外部端末に送信する送信手段と、
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とする画像処理装置。
【００２０】
上記発明では、実行したジョブが不正出力に係わるものか否かを判別し、実行したジョブの画像データとそのジョブに対する判別結果とを関連付けて保存手段に保存する。表示制御手段は、保存手段に保存されている画像データに対応する画像と判別結果とを外部端末で可視化表示するための表示データを生成し、この表示データを外部端末に送信する。また、不正レベルを判定し、各画像データに対応する画像が不正レベルに応じた表示形態（不正レベルがレベル高のジョブについては全ページの画像がサムネイル表示され、判定された不正レベルがレベル低のジョブについては先頭ページのみサムネイル表示される表示形態）で外部端末に表示される。これにより、不正出力でないジョブの画像も外部端末で表示可能になると共に、各画像が不正出力に係わるものか否かを外部端末で認識することができる。
【００２１】
（４）前記判別手段で不正出力に関する情報が無いと判別されたジョブの画像データについては、データ量を削減させてから前記保存手段に保存する
ことを特徴とする（３）に記載の画像処理装置。
【００２２】
上記発明では、不正出力でないジョブの画像データを保存するためのメモリ容量が節減される。すなわち、不正出力でないジョブの画像は簡易な確認ができればよいので、データ量を削減する。たとえば、先頭ページのみ保存したり、解像度を下げたりしてデータ量を削減する。なお、不正出力に関する情報が有ると判別されたジョブの画像データに関してもデータ量を削減してもよいが、その場合でも、不正出力でないと判別されたものに比べて削減率を低くしておけば、適当な画質での画像確認とメモリの節減とを両立させることができる。
【００２３】
（５）前記保存手段に、不正出力に関する情報があると判別された前記ジョブの前記画像データと関連付けて当該ジョブの前記履歴データをさらに保存し
前記表示制御手段は、前記履歴データと前記画像データに対応する前記画像とが関連付けて前記外部端末で表示されるように前記表示データを生成する
ことを特徴とする（３）または（４）に記載の画像処理装置。
【００２４】
上記発明では、ジョブの画像データとそのジョブの履歴データとを関連付けて保存しておき、外部端末にジョブの履歴データと画像とを関連付けて表示するための表示データを作成して送信する。
【００２５】
（６）前記表示制御手段は、前記画像データに基づいて前記画像に対応する画像をサムネイル表示するための表示データを生成する
ことを特徴とする（１）乃至（５）のいずれか１つに記載の画像処理装置。
【００２６】
上記発明では、各画像データに対応する画像が外部端末でサムネイル表示される。
【００２９】
（７）画像処理装置と、管理者端末とを備えたジョブ監視システムにおいて、
前記画像処理装置が実行したジョブの履歴データもしくは前記ジョブの画像データ内に不正出力に関する情報が有るか否かを判別する判別手段と、
前記判別手段で不正出力に関する情報が有ると判別されたジョブの画像データに対応する画像を前記管理者端末で可視化表示するための表示データを生成する表示制御手段と
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とするジョブ監視システム。
【００３０】
上記発明では、画像処理装置で実行したジョブが不正出力に係わるものか否かを判別手段で判別し、不正出力と判別された場合は、そのジョブの画像データに対応する画像を管理者端末で可視化表示するための表示データを表示制御手段で生成する。管理者端末ではこの表示データに基づく表示が行なわれる。判別手段や表示制御手段はジョブ監視システム内のどこに存在してもよいが、画像処理装置と管理者端末との間では、各手段の配置に応じて必要なデータ通信が行なわれる。
【００３１】
（８）前記表示制御手段は、不正出力に関する情報があると判別された前記ジョブの前記履歴データと前記画像データに対応する前記画像とが関連付けて外部端末で表示されるように前記表示データを生成する
ことを特徴とする（７）に記載のジョブ監視システム。
【００３２】
（９）画像処理装置と、管理者端末とを備えたジョブ監視システムにおいて、
前記画像処理装置が実行したジョブの履歴データもしくは前記ジョブの画像データ内に不正出力に関する情報が有るか否かを判別する判別手段と、
前記ジョブの前記画像データと当該ジョブに対する前記判別手段での判別結果とを関連付けて保存する保存手段と、
前記保存手段に保存されている前記画像データに対応する画像と前記画像データに関連付けされた前記判別結果とを前記管理者端末で可視化表示するための表示データを生成する表示制御手段と
を有し、
前記判別手段は、前記実行された前記ジョブの前記履歴データもしくは前記画像データ内の不正出力に関する情報に基づいて前記ジョブの不正レベルを判定し、
前記表示制御手段は、前記判別手段で判定された不正レベルがレベル高のジョブについては全ページの画像がサムネイル表示され、判定された不正レベルがレベル低のジョブについては先頭ページのみサムネイル表示されるように前記表示データを生成する
ことを特徴とするジョブ監視システム。
【００３３】
（１０）前記判別手段で不正出力に関する情報が無いと判別されたジョブの画像データについては、データ量を削減させてから前記保存手段に保存する
ことを特徴とする（９）に記載のジョブ監視システム。
【００３４】
（１１）前記保存手段に、不正出力に関する情報があると判別された前記ジョブの前記画像データと関連付けて当該ジョブの前記履歴データをさらに保存し
前記表示制御手段は、前記履歴データと前記画像データに対応する前記画像とが関連付けて前記外部端末で表示されるように前記表示データを生成する
ことを特徴とする（９）または（１０）に記載のジョブ監視システム。
【００３５】
（１２）前記表示制御手段は、前記画像データに基づいて前記画像に対応する画像を前記外部端末でサムネイル表示するための表示データを生成する
ことを特徴とする（９）乃至（１１）のいずれか１つに記載のジョブ監視システム。
【００３７】
（１３）前記判別手段を画像処理装置に配置し、
前記表示制御手段を管理者端末に配置した
ことを特徴とする（７）または（９）に記載のジョブ監視システム。
【００３８】
（１４）前記判別手段と前記表示制御手段とを画像処理装置に配置した
ことを特徴とする（７）または（９）に記載のジョブ監視システム。
【００３９】
（１５）前記判別手段と前記表示制御手段とを管理者端末に配置した
ことを特徴とする（７）または（９）に記載のジョブ監視システム。  
【００４０】
（１６）前記保存手段を画像処理装置に配置した
ことを特徴とする（９）に記載のジョブ監視システム。
【００４１】
（１７）前記保存手段を管理者端末に配置した
ことを特徴とする（９）に記載のジョブ監視システム。
【発明の効果】
【００４２】
本発明に係わる画像処理装置およびジョブ監視システムによれば、実行したジョブの履歴データもしくは画像データ内に、不正出力に関する情報が有るか否かを判別し、この判別結果に基づいてそのジョブの画像を外部端末や管理者端末に可視化表示するので、処理された多数の画像の中から不正出力の疑いがあるジョブの画像を外部端末や管理者端末で目視確認でき、不正出力の監視に係わる管理者等の作業負担を軽減することができる。
【発明を実施するための最良の形態】
【００４３】
以下、図面に基づき本発明の実施の形態を説明する。
【００４４】
図１は、本発明の実施の形態に係わるジョブ監視システム５のシステム構成を示している。ジョブ監視システム５は、画像処理装置としての複合機１０と、管理者端末（外部端末）３０とを備えている。複合機１０と管理者端末３０とはネットワーク２を介して接続されている。ネットワークはＬＡＮ（Local Area Network）でもＷＡＮ（Wide Area Network）を含むものでもよく、限定されない。
【００４５】
複合機１０は、原稿を読み取って画像データを入手するスキャナ機能、原稿を読み取って入手した画像データに基づく画像を記録紙上に形成するコピー機能、画像データを送受信するファクシミリ機能、クライアントＰＣ（Personal Computer）などから受信した印刷データや画像データに基づく画像を記録紙上に形成するプリンタ機能などを有している。なお、本発明においては、上述のような複合機１０による各種機能に基づいて画像を出力することをジョブの実行といい、ジョブが実行される際に不正に画像が出力されることを不正出力という。
【００４６】
管理者端末３０は、複合機１０で実行されたジョブが画像の不正出力に係わるものか否かを監視する（以後、ジョブ監視と呼ぶ。）機能を果たす。図１では、複合機１０と管理者端末３０とを１台ずつ接続しているが、管理者端末３０は１台で複数の複合機１０を管理可能に構成されている。
【００４７】
図２は、複合機１０の概略構成を示している。複合機１０は、全体制御システム部２０と、ＲＯＭ（Read Only Memory）１９と、ＲＡＭ（Random Access Memory）１１と、ハードディスク装置ＨＤＤ(Hard Disk Drive)１２と、ファクシミリ部１３と、ネットワーク部１４と、操作部１５と、表示部１６と、プリンタ部１７と、スキャナ部１８とを備えている。
【００４８】
表示部１６は、液晶ディスプレイなどの表示装置で構成され、各種の操作画面や通知画面などが表示される。操作部１５は、ユーザから各種の設定操作やジョブの実行指示などを受け付ける機能を果たし、タッチパネルや操作スイッチで構成される。
【００４９】
スキャナ部１８は原稿を読み取って画像データを取り込む機能を果たす。プリンタ部１７は画像データに応じた画像を記録紙上に形成して出力する機能を果たす。
【００５０】
全体制御システム部２０は、当該複合機１０の動作を統括制御する機能を果たし、ＣＰＵ（Central Processing Unit）などを主要部として構成されている。全体制御システム部２０は、画像処理手段２１と、ジョブ生成手段２２と、判別手段２３としての機能を果たす。画像処理手段２１は、画像データの圧縮処理や解像度の変換処理などを行なう。ジョブ生成手段２２は、操作部１５からの操作やクライアントＰＣなどからの指示に従って、コピージョブやプリントジョブ、ファクシミリ送信ジョブなど各種のジョブを生成して実行する機能を果たす。なお、実行された各種ジョブは、図示しないジョブ履歴管理手段によりジョブ履歴データとして管理される。
【００５１】
判別手段２３は、実行されたジョブの履歴データもしくは画像データ内に不正出力に関する情報（以後、不正キーワードとも呼ぶ。）が有るか否かを判別する機能を果たす。履歴データは、たとえば、ジョブの実行指示を行なった操作者名、ジョブの実行された日時、ファクシミリ送信ジョブやスキャンジョブの場合はその送信先を示す情報などが該当する。不正出力に関する情報（不正キーワード）は、管理者端末３０や当該複合機１０の操作部１５から設定でき、設定された不正キーワードはハードディスク装置１２などの不揮発性メモリに保存される。
【００５２】
ＲＡＭ１１は、全体制御システム部２０が各種処理を実行する際のワークメモリとして使用されるほか、画像処理手段２１が解像度を変換したり、判別手段２３が不正キーワードの有無を判別したりする際に画像データを一時的に保存する用途などに使用される。ハードディスク装置１２は、各種データやジョブ監視に係わる各種設定情報の保存に利用される。ＲＯＭ１９は、全体制御システム部２０が実行するプログラムや各種固定データを記憶している。
【００５３】
ファクシミリ部１３は、外部のファクシミリ装置と電話回線を介して画像データを送受信する機能を果たす。ファクシミリ部１３は画像データの圧縮・伸張やファクシミリのプロトコルに従った通信制御を行なう。ファクシミリ受信時には、外部のファクシミリ装置などから受信した圧縮された画像データを伸張し、伸張後の画像データを全体制御システム部２０に転送する。また、ファクシミリ送信時には全体制御システム部２０から転送されてきた画像データを圧縮し、圧縮後の画像データを、電話回線を介して外部のファクシミリ装置に送信する機能を果たす。送受信する画像データは、ハードディスク装置１２に一時的に保存することができる。
【００５４】
ネットワーク部１４は、複合機１０と管理者端末３０との間で各種のデータを送受信するためのインターフェイス部である。ネットワーク部１４は、実行したジョブの画像データと履歴データとそのジョブに対する判別手段２３での判別結果とを関連付けたものをジョブ監視データとして管理者端末３０に送信する送信手段の機能を果たす。このほか、外部のクライアントＰＣなどから画像を表わすコードデータであるＰＤＬ（Page Discription Language）データを受信する機能や、受信したＰＤＬデータを画像データに展開して全体制御システム部２０に受け渡す機能を果たす。
【００５５】
図３は、管理者端末３０の概略構成を示している。管理者端末３０は、ＣＰＵ３１と、ＲＯＭ３２と、ＲＡＭ３３と、ハードディスク装置ＨＤＤ３４と、操作部３５と、表示部３６と、通信インターフェイス部３７とをそれぞれバスに接続して備えている。
【００５６】
操作部３５は、キーボードやポインティングデバイスとしてのマウスなどで構成され、ユーザから各種の操作や指示を受け付けるための入力デバイスである。表示部３６は、液晶ディスプレイなどで構成される。通信インターフェイス部３７は、ネットワーク２を通じて複合機１０と各種のデータを送受信する機能を果たす。
【００５７】
操作部３５は、ジョブ監視に係わる各種条件をユーザ（管理者など）が設定するために使用される。詳細には、履歴データと画像データの保存に関する設定、不正出力に関する情報（不正キーワード）の設定、画像の保存を行なうときの解像度の設定、画像を確認表示する際の各種条件の設定に使用される。表示部３６は、操作部３５から各種設定を受ける際の入力画面の表示や、ジョブの履歴データや画像を確認するための画面の表示に使用される。
【００５８】
通信インターフェイス部３７は、ジョブ監視に係わる各種設定情報、たとえば、操作部３５を通じて設定された不正出力に関する情報（不正キーワード）、画像の保存を行なうときの解像度の設定値など、を複合機１０に送信するために使用される。また、複合機１０からジョブの履歴データと画像データと判別結果とからなるジョブ監視データを受信する機能を果たす。
【００５９】
ＣＰＵ３１は、管理者端末３０の動作を統括制御する機能を果たす。ＣＰＵ３１はＲＡＭ３３に格納されているプログラムを実行することで表示制御手段としての機能を果たす。ＲＡＭ３３は、ＣＰＵ３１がプログラムを実行する際に各種のデータを一時的に格納するワークメモリとして使用される。ここでは、操作部３５から入力された設定情報や表示部３６にジョブの履歴データや画像データに対応する画像を表示するための表示データなどの一時保存に使用される。
【００６０】
ハードディスク装置３４は、複合機１０から受信したジョブ監視データを記憶する保存手段として機能する。ハードディスク装置３４内の空き容量がなくなった場合は、最古のデータを削除して新しいデータを格納するようになっている。また、保存後一定期間の経過したデータを自動で削除する機能を備えている。
【００６１】
ハードディスク装置３４に保存されているジョブの履歴データや画像データに対する表示操作は、パスワードで認証されたユーザにのみ許可するようになっている。また、ハードディスク装置３４に保存されているデータの漏洩を防止するためにハードディスク装置３４に保存する各ジョブ監視データを暗号化する機能を備えている。
【００６２】
図４は、ジョブ監視システム５の概略の機能構成を示している。複合機１０は、実行したジョブの履歴データや画像データ内に不正キーワードが存在するか否かを判別手段２３で判別し、その判別結果と該当の履歴データと画像データとを関連付けたジョブ監視データをネットワーク部１４を通じて管理者端末３０に送信する。
【００６３】
管理者端末３０のＣＰＵ３１、ＲＯＭ３２、ＲＡＭ３３は、ジョブ監視のための各種表示データを生成して表示部３６に表示させる表示制御手段４０としての機能を果たす。表示制御手段４０は、ジョブ履歴管理制御手段４１と、サムネイル表示制御手段４２としての機能を果たす。
【００６４】
ジョブ履歴管理制御手段４１は、管理者端末３０の表示部３６に各種画面や履歴データを表示するための表示データを生成する機能を果たす。また、ハードディスク装置３４に格納されているジョブ監視データの中からユーザの指定する検索条件に合致するものを検索する機能を果たす。
【００６５】
サムネイル表示制御手段４２は、ジョブ履歴管理制御手段４１が検索したジョブ監視データ（画像データ）に基づいて各ジョブの画像をサムネイル表示するための表示データを生成する機能などを果たす。なお、複合機１０から受信した画像データは圧縮されているので、表示するためには解凍する必要があり、サムネイル表示制御手段４２が画像データの解凍機能を果たすようになっている。
【００６６】
図５は、ジョブ監視に係わる監視条件設定画面５０の一例を示している。監視条件設定画面５０は、管理者端末３０の表示部３６に表示される。監視条件設定画面５０には、不正キーワード入力部５１と、保存解像度設定部５２と、保存データ量設定部５３と、ＯＫ釦５４と、キャンセル釦５５と、ヘルプ釦５６とが表示される。
【００６７】
不正キーワード入力部５１は、複合機１０の判別手段２３が検索する不正キーワードを設定するための操作領域である。不正キーワード入力部５１には、あて先入力欄５１ａと、操作者入力欄５１ｂと、画像内不正キーワード入力欄５１ｃとが設けてある。
【００６８】
あて先入力欄５１ａは、不正な送信と判定するためのあて先が入力される。このあて先とジョブの履歴データ内に存するあて先とが同一の場合に不正な送信と判定される。操作者入力欄５１ｂには、不正な出力操作と判定するためのユーザ名が入力される。このユーザ名とジョブの履歴データ内に存する操作者名とが同一の場合に不正出力と判定される。
【００６９】
画像内不正キーワード入力欄５１ｃには、不正出力か否かを判定するために画像内で検索する不正キーワードが入力される。この不正キーワードと同じ文字列が画像データ内から検出された場合に不正出力と判定される。画像内不正キーワードの一例としては、「機密」、「秘密」などがある。ここでは、論理記号で複数のキーワードを設定することができる。
【００７０】
ユーザにとって何が機密情報であるかはユーザによって異なると考えられる。そこで、ユーザが監視したい不正キーワードを監視条件設定画面５０から設定可能に構成してある。このようにユーザの所望する不正キーワードを設定可能にすることで、実行される膨大なジョブの中からそのユーザにとって不正出力として監視すべきジョブを絞り込むことができる。
【００７１】
不正キーワードに基づく判定結果は、画像を管理者端末３０の表示部３６に表示する際に管理者に対して注意を促したり、保存するデータ量を削減したりするために利用されるものであり、厳格にすべての情報漏洩を見つけ出すことを目的としたものではなく、あくまでも支援の位置づけである。なお、不正キーワードを重み付けし、検出された不正キーワードを総合評価してジョブの不正レベルを判定し、判定された不正レベルに応じて画像や履歴データの表示形態を相違させたり、レベル毎に並び替えて表示したりして、不正レベルを認識可能に表示するとよい。
【００７２】
保存解像度設定部５２は、画像データを保存する際の解像度を設定するための操作領域である。ここでは、規定の解像度である１００ＤＰＩ（Dot Per Inch）、２００ＤＰＩ、３００ＤＰＩ、４００ＤＰＩの中からの選択できるほか、任意値欄５２ａに値を入力することで任意の解像度を設定することができる。
【００７３】
保存データ量設定部５３は、画像データを保存する際のデータ量を設定するための操作領域である。全ページ釦５３ａを選択すると、すべてのジョブについて全ページの画像データが保存される。先頭ページ釦５３ｂを選択するとジョブの履歴データもしくは画像データ内から不正キーワードが検出された場合は全ページを保存し、不正キーワードが検出されない場合は先頭ページのみを保存するように設定される。保存する画像データの解像度やデータ量を使用目的に応じて設定することで、保存するデータ量を削減することが可能になる。
【００７４】
このようにして管理者端末３０の操作部３５を通じてジョブ監視に係わる各種条件の設定が行なわれると、それらの設定情報は管理者端末３０内のハードディスク装置３４に格納される。また、ジョブ監視に係わる設定情報のうち、複合機１０で必要な情報は通信インターフェイス部３７およびネットワーク２、ネットワーク部１４を介して複合機１０のハードディスク装置１２に転送されて保存される。ここでは、監視条件設定画面５０で設定されたすべての情報、すなわち、不正出力の有無を判別するための不正キーワード、保存時の解像度、保存データ量の設定値が管理者端末３０から複合機１０に送信される。
【００７５】
なお、監視条件設定画面５０での設定を複合機１０の表示部１６および操作部１５で行なえるように構成してもよい。この場合、設定された情報は複合機１０内のハードディスク装置１２に保存されると共に管理者端末３０に送信され、管理者端末３０内のハードディスク装置３４にも保存される。
【００７６】
図６は、複合機１０における動作の流れを示している。ここでは、監視条件設定画面５０の保存データ量設定部５３において先頭ページ釦５３ｂが選択されているものとする。
【００７７】
ジョブが生成されて、そのジョブが実行されると（ステップＳ１０１）、ジョブの実行に同期して複合機１０の判別手段２３はそのジョブの履歴データもしくは画像データ内に不正出力に関する情報（ユーザの設定した不正キーワード）が有るか否かを判別する（ステップＳ１０２）。ここで、画像データ内からの不正キーワード検索にはＯＣＲ（Optical Character Reader）機能を使用する。なお、本実施の形態において、不正キーワード検索にはＯＣＲ機能を用いたが、ＯＣＲ機能に限らず、画像データ中のテキスト検索機能等の方法を使用することも可能である。
【００７８】
不正出力に関する情報が含まれている場合は（ステップＳ１０３；Ｙ）、監視条件設定画面５０での設定に従って画像データを保存するか否かを決定し、保存する場合は対象となる画像データを設定された解像度に変換する。ここでは、不正出力に関する情報が含まれている場合は、当該ジョブに係わる全ページの画像データを、監視条件設定画面５０の保存解像度設定部５２で設定された解像度に変換する（ステップＳ１０４）。そして、解像度変換後の全ページの画像データと当該ジョブの履歴データと判別手段２３による判別結果とを関連付けしたものをジョブ監視データとして管理者端末３０に送信して（ステップＳ１０５）処理を終了する（エンド）。なお、ジョブ監視データにおける判別結果は、何枚目の画像のどの場所に何の不正キーワードが掲載されているのかを含んでいるものとする。
【００７９】
一方、不正出力に関する情報が含まれていない場合は（ステップＳ１０３；Ｎ）、当該ジョブの先頭ページの画像データのみを、監視条件設定画面５０の保存解像度設定部５２で設定された解像度に変換し（ステップＳ１０６）、解像度変換後の先頭ページの画像データと当該ジョブの履歴データと判別手段２３による判別結果とを関連付けしたものをジョブ監視データとして管理者端末３０に送信して（ステップＳ１０７）処理を終了する（エンド）。なお、管理者端末３０は複合機１０から受信したジョブ監視データをハードディスク装置３４に格納する。
【００８０】
図７は、管理者端末３０の表示部３６に表示される表示条件設定画面６０の一例を示している。表示条件設定画面６０には絞込み条件設定部６１と、サムネイル設定部６２と、検索キーワード入力部６３と、表示順序選択部６４と、ＯＫ釦６５と、キャンセル釦６６とが表示される。
【００８１】
絞込み条件設定部６１は、ハードディスク装置３４に保存されている多数のジョブ監視データの中から表示対象にするものを絞り込むための条件を設定するための操作領域である。ここでは、表示対象を不正出力に関する情報を含むジョブのみとするか否かと、特定の期間に実行されたジョブのみを表示対象として絞り込むための期間とを設定することができる。サムネイル設定部６２ではサムネイル表示するか否かを選択する。検索キーワード入力部６３は、表示対象を履歴データ内の情報で絞り込むためのキーワードを設定するための操作領域である。表示順序選択部６４では、表示順序を日付順、送信先（送信先の名称の昇順あるいは降順）、ジョブ（ジョブの種別順）のいずれかに設定することができる。図７の例では日付順が選択されている。
【００８２】
図８は、管理者端末３０に表示される先頭ページサムネイル画面７０と全ページサムネイル画面８０とをそれぞれ例示している。この先頭ページサムネイル画面７０は、表示条件設定画面６０のサムネイル設定部６２でサムネイル有りが選択され、かつ表示順序選択部６４で日付順が選択された場合の表示例を示したものであり、先頭ページのサムネイル画像７１が日時情報（履歴データの一部）とともに日付順に並べて表示されている。図中の太線で囲まれた画像７１ａは、不正に関する情報を含んでいたジョブの画像であり、この画像７１ａを選択するとそのジョブの全ページの画像をサムネイル表示するための全ページサムネイル画面８０に遷移する。
【００８３】
全ページサムネイル画面８０に表示されていない残りのページの画像を確認するときは次ページ釦８１を選択し、前の画面に戻るときは、戻る釦８２を選択する。表示されたジョブの画像データの保存が不要の場合には全画像削除釦８３を選択すると、ハードディスク装置３４から当該ジョブのジョブ監視データが削除される。
【００８４】
同様に先頭ページサムネイル画面７０においても、次ページ釦７２や戻る釦７３を選択することで画面が遷移する。先頭ページサムネイル画面７０内の表示・検索・絞込み釦７４を選択すると図７の表示条件設定画面６０が表示される。
【００８５】
なお、不正に関する情報を含むジョブの画像を識別表示するための表示形態は、太線で囲むものに限定されず、カラー表示（表示部がカラー対応の場合）、網掛け、拡大表示などでもよく、ユーザの注意を喚起して不正出力の発生を警告する表示ができれば表示形態は問わない。
【００８６】
図９は、ジョブ監視データに基づく画像表示を行なう際の管理者端末３０の動作を示している。なお、表示形態については表示条件設定画面６０で既に設定されているものとする。管理者端末３０の操作部３５から所定の表示操作が行なわれると、ジョブ履歴管理制御手段４１は表示条件設定画面６０で設定された絞込み条件に合致するジョブ監視データをハードディスク装置３４内から検索して取得する（ステップＳ２０１）。
【００８７】
次に、上記の処理で取得したジョブ監視データを表示条件設定画面６０で選択された順序条件に従って並び替える（ステップＳ２０２）。さらに、これらのジョブ監視データの中から先頭ページの画像データを取得し（ステップＳ２０３）、先頭ページのみがサムネイル表示する先頭ページサムネイル画面７０を表示するための表示データを生成する（ステップＳ２０４）。なお、ハードディスク装置３４に保存されている画像データは圧縮されているので、その解凍作業もこのとき行なわれる。
【００８８】
さらに、先頭ページサムネイル画面７０に先頭ページの画像を表示した各ジョブが不正出力に関する情報の検出されたものか否かをジョブ監視データ内の判別結果情報に基づいて認識し、不正出力の場合にはそのジョブの先頭ページのサムネイル画像を太線で囲むように表示データを加工する（ステップＳ２０５）。このようにして作成した表示データに基づいて先頭ページサムネイル画面７０を管理者端末３０の表示部３６に表示して（ステップＳ２０６）処理を終了する（エンド）。
【００８９】
なお、各画面７０、８０での操作に応じて表示内容は遷移する。たとえば、先頭ページサムネイル画面７０において太線で囲った画像７１ａが選択されたときは、該当する全ページサムネイル画面８０を表示するための表示データを作成して表示部３６に表示するように動作する。
【００９０】
次に、ジョブの不正レベルを判定し、ジョブ監視データの表示形態をジョブの不正レベルに応じて自動的に変更する場合について説明する。図１０の不正レベル分類表９０は、不正レベルと、各ジョブの画像データの保存方法と、表示形態との対応関係の一例を示している。不正レベルは、判別手段２３が検出した不正出力に関する情報に基づいて判定する。ここでは、不正レベルを高、中、低の３段階に分類している。
【００９１】
不正出力に関する情報には、先に説明したように、「秘密」、「機密」など画像内の不正キーワードと、ジョブを生成した操作者名と、あて先(送信先)と、操作日時とがある。レベル低は、これら不正に関する情報のうち、該当する操作者名、あて先、操作日時のいずれかがジョブの履歴データに含まれている場合とする。レベル中は、画像データ内に「秘密」、「機密」などの不正キーワードが含まれている場合とする。
【００９２】
レベル高は、レベル低とレベル中の条件の双方を含んでいる場合とする。すなわち、ジョブの履歴データ内に不正キーワードとして設定されている操作者名、あて先、操作日時のいずれか１つ以上を含むと共に、ジョブの画像データ内に不正キーワードが１つ以上含まれている場合をレベル高とする。なお、操作日時については、特定の期間、時間帯、曜日によってレベルを変化させてもよい。また、画像内に含まれる不正キーワードの種類に応じて不正レベルを判定してもよい。たとえば、「トップシークレット」の不正キーワードが検出された場合は、それのみでレベル高にするなどである。
【００９３】
表示形態は、レベル高のジョブについては全ページの画像をサムネイル表示する。レベル中のジョブについては、先頭ページと不正キーワードの検出されたページとをサムネイル表示する。レベル低は、先頭ページのみをサムネイル表示する。レベル低のジョブと不正キーワードが検出されていないジョブとの区別は、たとえば、レベル低のジョブに係わる情報を太字表示、カラー表示、網掛け、拡大表示などで行なえばよい。区別する方法は、管理者の注意を喚起するように警告されれば、どのような態様でもかまわない。
【００９４】
保存するデータ量はレベルにかかわらず、不正出力に関する情報を含むジョブの場合は全ページの画像データを保存し、不正出力に関する情報を含まないジョブの場合は、監視条件設定画面５０の保存データ量設定部５３でのユーザ設定に従うようになっている。
【００９５】
以上のように、ジョブの履歴データもしくは画像データ内に不正出力に関する情報が存在するか否かを判別し、この判別結果に基づいて管理者端末３０での表示形態を変化させたので、管理者は各ジョブの画像が不正出力に関連するものか否かを一目で認識することができ、少ない作業負担で不正出力に関する監視業務を行なうことができる。
【００９６】
次に、本発明の第２の実施の形態について説明する。
【００９７】
図１１は、第２の実施の形態に係わるジョブ監視システム５ａの概略構成を示している。ジョブ監視システム５ａでは、不正出力に関する情報の有無を管理者端末３０ａ側で判別するようになっている。ジョブ監視システム５ａは、第１の実施の形態の複合機１０（図４参照）にあった判別手段２３を複合機１０ａから削除し、これを管理者端末３０ａ側に設けた構成になっている。なお、第１の実施の形態で示したジョブ監視システム５と同一の機能部分には同一の符号を付してある。
【００９８】
複合機１０ａは、ジョブを実行すると、このジョブの実行に同期して当該ジョブの履歴データと画像データとをネットワーク部１４を使用して管理者端末３０ａに送信する。管理者端末３０ａは受信した履歴データと画像データ内に不正出力に関する情報が含まれているか否かを判別手段２３ａで判別する。そして、受信した履歴データと画像データと判別結果とを関連付けたものをジョブ監視データとしてハードディスク装置３４に保存する。ハードディスク装置３４に保存されているジョブ監視データに関する表示動作については第１の実施の形態の場合と同一であり、その説明は省略する。
【００９９】
第２の実施の形態では、複合機１０ａは履歴データと画像データとを管理者端末３０ａに送信する機能を備えればよいだけなので、既設のものへの適用が容易になる。
【０１００】
図１２は、第３の実施の形態に係わるジョブ監視システム５ｂの概略構成を示している。ジョブ監視システム５ｂでは、管理者端末３０ｂに表示される各画面の表示制御を複合機１０ｂ側で行なうようになっている。ジョブ監視システム５ｂは、第１の実施の形態における管理者端末３０にあった表示制御手段４０を複合機１０ｂ側に設けた構成になっている。なお、第１の実施の形態で示したジョブ監視システム５と同一の機能部分には同一の符号を付してある。
【０１０１】
複合機１０ｂは、ジョブを実行すると、そのジョブの履歴データと画像データ内に不正出力に関する情報が含まれているか否かを判別手段２３で判別し、この判別結果と履歴データと画像データとを関連付けたものをジョブ監視データとしてハードディスク装置１２に保存する。
【０１０２】
複合機１０ｂは、管理者端末３０ｂからジョブ監視データの表示要求を受けると、画像を管理者端末３０ｂで可視化表示するための表示データを表示制御手段４０ｂで生成し、これをネットワーク部１４から管理者端末３０ｂへ送信するようになっている。
【０１０３】
表示データの作成においては、第１の実施の形態の表示制御手段４０と同様に動作する。すなわち、先頭ページサムネイル画面７０や全ページサムネイル画面８０を管理者端末３０ｂに表示するための表示データを作成する。管理者端末３０ｂは、複合機１０ｂから受信した表示データに基づいて先頭ページサムネイル画面７０や全ページサムネイル画面８０を表示部３６に表示する。また、複合機１０ｂの表示制御手段４０ｂにより図５の監視条件設定画面５０や図７の表示条件設定画面６０に相当する画面を管理者端末３０ｂに表示させ、管理者端末３０ｂからジョブ監視に係わる各種条件の設定を受け付けるようになっている。
【０１０４】
第３の実施の形態に係わるジョブ監視システム５ｂは、たとえば、複合機１０ｂの表示制御手段４０ｂをウェブサーバのように機能させれば、管理者端末３０ｂをウェブページの閲覧機能を備えたクライアントＰＣとして構成することができる。
【０１０５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０６】
実施の形態では、不正出力に関する情報が検出されたジョブと不正出力に関する情報が検出されなかったジョブの双方について画像や履歴データを表示するようにしたが、少なくとも不正出力に関する情報が検出されたジョブについて表示されればよい。不正出力に関する情報が検出されたジョブについてのみ管理者端末３０で画像を表示する場合、第１の実施の形態の構成においては、不正出力に関する情報が検出されたジョブの履歴データと画像データのみを管理者端末３０に送信すればよく、不正出力に関する情報が検出されなかったジョブについてはジョブ監視データを管理者端末３０に送信する必要はない。
【０１０７】
また、ジョブ監視データの複合機１０から管理者端末３０への送信は、ジョブの実行（画像の出力）に同期する以外に、ジョブの終了後所定のタイミングで送信する等、ジョブ実行に応じて行なってもよい。また、ジョブの実行とは無関係に、複合機１０内にある程度蓄積してから、すなわち、所定数のジョブが蓄積される、蓄積されたデータ量が所定量に達する、前回の送信から所定時間が経過する等、一括して管理者端末３０へ送信してもよい。たとえば、１日に１回、その日の分のジョブ監視データを所定の時刻に管理者端末３０へ一括送信するようにしてもよい。
【０１０８】
管理者端末３０においては、複合機１０からジョブ監視データを受信したとき、自動的に先頭ページサムネイル画面７０を表示するとよい。また、ジョブ監視データを受信したとき、その中に不正出力に関する情報を含むジョブが存在するか否かを調べ、存在する場合は、即座に警告音を発するなどして管理者に通知するように構成してもよい。
【０１０９】
なお、先頭ページサムネイル画面７０や全ページサムネイル画面８０などの表示を管理者端末３０で行なうようにしたが、複合機１０の表示部１６に表示して確認可能に構成してもよい。また、監視条件設定画面５０や表示条件設定画面６０を複合機１０の表示部１６に表示し、複合機１０において、ジョブ監視に係わる各種条件の設定を可能にしてもよい。
【図面の簡単な説明】
【０１１０】
【図１】本発明の実施の形態に係わるジョブ監視システムの構成を示す説明図である。
【図２】本発明の第１の実施の形態に係わるジョブ監視システムに含まれる複合機の概略構成を示すブロック図である。
【図３】本発明の第１の実施の形態に係わるジョブ監視システムに含まれる管理者端末の概略構成を示すブロック図である。
【図４】本発明の第１の実施の形態に係わるジョブ監視システムに含まれる管理者端末の機能構成を示すブロック図である。
【図５】監視条件設定画面の一例を示す説明図である。
【図６】本発明の第１の実施の形態に係わるジョブ監視システムに含まれる複合機の動作を示す流れ図である。
【図７】表示条件設定画面の一例を示す説明図である。
【図８】先頭ページサムネイル画面および全ページサムネイル画面の一例を示す説明図である。
【図９】本発明の第１の実施の形態に係わるジョブ監視システムに含まれる管理者端末の動作を示す流れ図である。
【図１０】不正レベル分類表を示す説明図である。
【図１１】本発明の第２の実施の形態に係わるジョブ監視システムの構成を示すブロック図である。
【図１２】本発明の第３の実施の形態に係わるジョブ監視システムの構成を示すブロック図である。
【符号の説明】
【０１１１】
２…ネットワーク
５…ジョブ監視システム
１０…複合機
１１…ＲＡＭ
１２…ハードディスク装置
１３…ファクシミリ部
１４…ネットワーク部
１５…操作部
１６…表示部
１７…プリンタ部
１８…スキャナ部
１９…ＲＯＭ
２０…全体制御システム部
２１…画像処理手段
２２…ジョブ生成手段
２３…判別手段
３０…管理者端末
３１…ＣＰＵ
３２…ＲＯＭ
３３…ＲＡＭ
３４…ハードディスク装置
３５…操作部
３６…表示部
３７…通信インターフェイス部
４０…表示制御手段
４１…ジョブ履歴管理制御手段
４２…サムネイル表示制御手段
５０…監視条件設定画面
５１…不正キーワード入力部
５１ａ…あて先入力欄
５１ｂ…操作者入力欄
５１ｃ…画像内不正キーワード入力欄
５２…保存解像度設定部
５２ａ…任意値欄
５３…保存データ量設定部
５３ａ…全ページ釦
５３ｂ…先頭ページ釦
５４…ＯＫ釦
５５…キャンセル釦
５６…ヘルプ釦
６０…表示条件設定画面
６１…絞込み条件設定部
６２…サムネイル設定部
６３…検索キーワード入力部
６４…表示順序選択部
６５…ＯＫ釦
６６…キャンセル釦
７０…先頭ページサムネイル画面
７１…サムネイル画像
７２…次ページ釦
７３…戻る釦
７４…表示・検索・絞込み釦
８０…全ページサムネイル画面
８１…次ページ釦
８２…戻る釦
８３…全画像削除釦
９０…不正レベル分類表
【図１】
0004752445.tif 000002
【図２】
0004752445.tif 000003
【図３】
0004752445.tif 000004
【図４】
0004752445.tif 000005
【図５】
0004752445.tif 000006
【図６】
0004752445.tif 000007
【図７】
0004752445.tif 000008
【図８】
0004752445.tif 000009
【図９】
0004752445.tif 000010
【図１０】
0004752445.tif 000011
【図１１】
0004752445.tif 000012
【図１２】
0004752445.tif 000013